(57)【要約】【課題】ＬＥＤ等の発光素子からの光を光ファイバを用いて導出し、所望の広がりを持った配光を得る照明器具を提供することを目的とする。【解決手段】本発明は、複数の発光素子１０が実装された基板４を有する本体２と、前記発光素子１０に光導入端８２ａが対向し、発光素子１０から導入された光を導光させる光ファイバ８と、前記本体２に設けられ、光ファイバ８を保持する保持手段６１が形成されたホルダ６と、このホルダ６の外周に設けられ、前記保持手段６１から導出される光ファイバ８を係止して配設可能な配設手段７とを備える照明器具１である。【選択図】図１
2010108792.tif 000002
【特許請求の範囲】
【請求項１】
複数の発光素子が実装された基板を有する本体と；
前記発光素子に光導入端が対向し、発光素子から導入された光を導光させる光ファイバと；
前記本体に設けられ、光ファイバを保持する保持手段が形成されたホルダと；
このホルダの外周に設けられ、前記保持手段から導出される光ファイバを係止して配設可能な配設手段と；
を具備することを特徴とする照明器具。
【請求項２】
前記配設手段には、光ファイバが貫通して係止する複数の係止孔が形成されていることを特徴とする請求項１に記載の照明器具。
【発明の詳細な説明】
【技術分野】
【０００１】
本発明は、ＬＥＤ等の発光素子からの光を光ファイバを用いて導出する照明器具に関する。
【背景技術】
【０００２】
近年、長寿命であるＬＥＤ等の発光素子を光源として用いる照明器具が開発されている。しかしながら、ＬＥＤ等は、光の直進性が強く、一般家庭の照明に適するような所望の光の広がりをもった配光が得にくい。一方、この直進性の強い光を導光するには、光ファイバを用いるのが好適である。このような背景の下、従来、装飾効果を高めるため、光ファイバを用いた装飾用照明装置が提案されている（特許文献１参照）。
【特許文献１】実用新案登録第３１３５５７６号公報
【発明の開示】
【発明が解決しようとする課題】
【０００３】
しかしながら、特許文献１には、装飾のために、単に光ファイバを用いる点が示されているにとどまり、その具体的技術の開示がなく、また、光源としてＬＥＤ等の発光素子を用いるものでもない。
【０００４】
本発明の目的は、ＬＥＤ等の発光素子からの光を光ファイバを用いて導出し、所望の広がりを持った配光を得ることにある。
【課題を解決するための手段】
【０００５】
請求項１に記載の照明器具は、複数の発光素子が実装された基板を有する本体と；前記発光素子に光導入端が対向し、発光素子から導入された光を導光させる光ファイバと；前記本体に設けられ、光ファイバを保持する保持手段が形成されたホルダと；このホルダの外周に設けられ、前記保持手段から導出される光ファイバを係止して配設可能な配設手段と；を具備することを特徴とする。
【０００６】
本発明及び以下の発明において、特に指定しない限り用語の定義及び技術的意味は次による。発光素子とは、ＬＥＤや有機ＥＬ等の固体発光素子である。発光素子の実装は、チップ・オン・ボード方式や表面実装方式によって実装するのが好ましいが、本発明の性質上、実装方式は特に限定されない。また、発光素子の実装個数には特段制限はない。本体に設けられるホルダは、本体に直接的に又は他の部材を介して間接的に取付けられる場合であってもよい。光ファイバは、側面が発光するタイプ、主として光導出端が発光するタイプ、これら両者を兼用するタイプ等、各種タイプのものが適用可能であり、格別限定されるものではない。要は、発光素子からの光を導光し、導出可能であればよい。
【０００７】
請求項２に記載の照明器具は、請求項１に記載の照明器具において、前記配設手段には、光ファイバが貫通して係止する複数の係止孔が形成されていることを特徴とする。
【発明の効果】
【０００８】
請求項１に記載の発明によれば、発光素子を用いて所望の広がりを持つ配光を得ることができ、また、光ファイバの配設形態の自由度が広く、器具としてのデザインの自由度も広範なものとすることができる。
【０００９】
請求項２に記載の発明によれば、請求項１に記載の発明の効果に加え、簡単な構成で光ファイバの配設がしやすい照明器具を提供できる。
【発明を実施するための最良の形態】
【００１０】
以下、本発明の実施形態に係る照明器具について図１乃至図３を参照して説明する。図１は、照明器具を示す正面図、図２は、同底面図（光ファイバの図示は省略している）、図３は、同断面図である。
【００１１】
図は、天井埋込形の照明器具１を示しており、この照明器具１は、熱伝導性の筒状本体２と、この筒状本体２に取付けられた化粧枠３と、同じく筒状本体２に取付けられ、発光素子としてのＬＥＤが実装された基板４と、この基板４の表面側に取付けられた光ファイバガイド部材５と、化粧枠３に取付けられたホルダ６と、このホルダ６の外周に設けられた配設手段７及び光導入端がＬＥＤに対向して配設された光ファイバ８とを備えている。
【００１２】
筒状本体２は、アルミダイカスト製の熱伝導良好な材料で形成されており、その外面が白色のメラミン樹脂系塗料によって焼付塗装されている。なお、勿論、熱伝導性を担保できれば、他の材料で形成してもよい。筒状本体２には、電源ユニットが収納されており、回路基板に制御用ＩＣ、トランス、コンデンサ等の部品を実装して構成されており、その電源ユニットの点灯回路によってＬＥＤを点灯制御するものである。なお、筒状本体２の外面には、縦方向に延びる複数の放熱フィン２ｆが形成されている。
【００１３】
化粧枠３は、ＡＢＳ樹脂で略傘状に形成され、末広がり状の開口端部には、環状のフランジ３ｆが形成されており、他端部側は、筒状本体２に取付けられている。加えて、外周面には、図示しない一対の取付け用板ばねが装着されている。
【００１４】
基板４の表面側には、光源となる白色系のＬＥＤ１０が表面実装方式で複数個、具体的には中央部に３個、その周囲部に９個の合計１２個が実装されている。基板４は、絶縁材又は金属の略円形の平板からなり、筒状本体２の底壁へ密着するように取付けられている。基板４の材料は、絶縁材とする場合には、放熱特性が比較的良好で、耐久性に優れたセラミック材料又は合成樹脂材料を適用できる。合成樹脂材料を用いる場合には、例えば、ガラスエポキシ樹脂等で形成できる。また、金属製とする場合は、アルミニウム等の熱伝導性が良好で放熱性に優れた材料を適用するのが好ましい。
【００１５】
光ファイバガイド部材５は、基板４の表面側に配設されており、ポリカーボネートやＡＳＡ樹脂等によって円形板状に形成されている。このガイド部材５には、各ＬＥＤ１０と対向する位置に光ファイバ８が挿入される導入穴５１が形成されている。
【００１６】
ホルダ６は、化粧枠３の開口端部に取付けられており、ＡＢＳ樹脂製で一端側を開口したカップ状をなしている。このホルダ６の底壁６ｂには、光ファイバ８が貫通して保持される保持手段として保持孔６１が形成されている。具体的には、図２に示すように、大径の保持孔６１ａが６個、小径の保持孔６１ｂが６個の合計１２個が形成されており、これら保持孔６１ａ、６１ｂは、後述する光ファイバ８の外径に対応して形成されている。また、ホルダ６の外表面、すなわち、下面側は、クロームメッキが施されており、反射面６２が形成されている。
【００１７】
配設手段７は、ホルダ６の底壁６ｂ側の外周に取付けられている。配設手段７は、透光性で、例えば、透明のアクリル材料から形成されており、ホルダ６の周囲を囲むようにリング状円板に形成されている。この配設手段７には、光ファイバ８が挿通し係止する小径の係止孔７１が放射状に複数個形成されている（図２参照）。なお、配設手段７のホルダ６への取付けにあたっては、ホルダ６の外周径に適合する内周径を有するリング状取付部材９と接着することにより行われる。
【００１８】
次に、光ファイバ８は、例えば、住友スリーエム株式会社製の「ライトファイバー」等が用いられる。図１に示すように、２種類の透明の光ファイバ８が用いられ、第１の光ファイバ８１は、φ１４ｍｍであり、主として照明器具１の直下を照明するもので、略中央部に６本配設される。一方、第２の光ファイバ８２は、φ６ｍｍであり、主として拡散配光のために用いられ、配設手段７によって光ファイバ８２の柔軟性を利用して曲線状に屈曲し、外方に延出して配設される。この光ファイバ８２は、光導出端のみならず側面に発光しながら光を伝送するもので、配設した経路に沿って光が放射されるものである。なお、第１の光ファイバ８１についても側面に発光する光ファイバを用いてもよい。
【００１９】
図３に示すように、光ファイバ８は、光ファイバガイド部材５及びホルダ６を介して取付けられている。なお、図３は、光ファイバ８の一部を示しており、また、取付け状態を分かりやすく説明するために表した図である。第１の光ファイバ８１は、光導入端８１ａ側がガイド部材５の導入穴５１に挿入され、ＬＥＤ１０に接近して配置されている。そして、光導出端８１ｂ側は、ホルダ６に形成された保持孔６１ａに緊密に保持されて通過し、ホルダ６の下方に導出されている。したがって、６本の第１の光ファイバ８１が略中央部から導出されている。
【００２０】
第２の光ファイバ８２は、同様に、光導入端８２ａ側がガイド部材５の導入穴５１に挿入され、ＬＥＤ１０に接近して配置されている。光導出端８２ｂ側は、ホルダ６に形成された保持孔６１ｂに緊密に保持されて通過し、ホルダ６の下方に導出されている。さらに、図１及び図２に示すように、光導出端８２ｂ側は、配設手段７に形成された内側の係止孔７１ａを挿通し、配設手段７の裏側に導出され、続いて、外側の係止孔７１ｂを挿通して表側に導出される。このように、６本の第２の光ファイバ８２は、配設手段７の係止孔７１に係止され、表裏に折曲して外方に広がるように配設されている。なお、光ファイバ８２は、ホルダ６の保持孔６１ｂに緊密な状態で保持されることが好ましいが、必ずしも緊密な状態でなくてもよい。光ファイバ８２のホルダ６による保持は、保持孔６１ｂと係止孔７１との係止で相補的に行うことが可能であり、さらに、ガイド部材５の導入穴５１に接着材等により固着することも可能だからである。したがって、保持孔６１ｂは、光ファイバ８２の位置決め的な機能を有する場合であってもよい。また、光ファイバ８２の配設形態は、係止孔７１の配置パターンを変えることにより、種々の変更が可能である。
【００２１】
このような照明器具１は、天井面Ｃの埋込み穴に筒状本体２側から挿入され、天井面Ｃの裏側に埋込まれた状態で支持される。この場合、化粧枠３のフランジ３ｆは、天井面Ｃの埋込み穴より大径であり、照明器具１が天井面Ｃに設置された状態で埋込み穴の周縁に下方から引っ掛かるようになっている。
【００２２】
以上のような構成において、電源ユニットに通電されると、点灯回路が動作して基板４に電力が供給され、ＬＥＤ１０が発光する。各ＬＥＤ１０から出射された光は各光ファイバ８１、８２の光導入端８１ａ、８２ａから光導出端８１ｂ、８２ｂに伝送される。したがって、第１の光ファイバ８１から導出される光は、主として直下方向に照射され、第２の光ファイバ８２から導出される光は、光ファイバ８２の側面からも放射され、その配設経路の導光される周囲に照射されるので、拡散して広がりをもった配光となる。さらに、配設手段７は、透光性を有しているので、配設手段７の裏面側に配設された光ファイバ８２から放射される光も配設手段７を透過するため、下方に照射され有効に利用することが可能である。加えて、ホルダ６には、反射面６２が形成されているので、特に、第２の光ファイバ８２から放射される光を反射させて効率的に照明を行うことができる。
【００２３】
また、これに伴いＬＥＤ１０から発生する熱は、主として基板４の裏面から筒状本体２の底壁へ伝わり、さらに、筒状本体２の全体へ伝導され、その伝導過程での放熱を伴いながら放熱される。
【００２４】
なお、上記説明においては、第２の光ファイバ８２として、側面に発光するタイプの光ファイバを用いたが、これに替えて、第１の光ファイバ８１のような主として光導出端が発光するタイプの光ファイバを用いてもよい。この場合は、例えば、配設手段７に多数の光ファイバの光導出端の向きが放射状となるように係止して配設すればよい。これにより、所望の広がりを有する配光を得ることができる。したがって、光ファイバのタイプは各種適用可能であり、また、異なるタイプを組合せて適用することも可能である。これら光ファイバを配設手段７に適宜配設することにより、配光の自由度やデザインの自由度を広範なものとすることができる。
【００２５】
以上のように本実施形態によれば、長寿命であるが光の直進性が強いＬＥＤ１０の特質と、直進性が強い光を導光しやすい光ファイバ８の特質との双方の特質を生かして、所望の広がりを持つ配光を得ることができる。また、光ファイバ８は、柔軟性を有することから配設形態の自由度が広く、所望の配光が得やすく、照明器具としてのデザインの自由度も広げることができる。さらに、配設手段７は、透光性を有しているので、配設手段７の裏面側に配設された光ファイバ８２からの光を有効に利用することができる。加えて、光ファイバ８を用いることにより軽量化や梱包の小形化が可能となる。
【００２６】
本発明は、上記実施形態の構成に限定されることなく、発明の要旨を逸脱しない範囲で種々の変形が可能である。例えば、配設手段７は、板状に限らず、線状材を用いて構成してもよく、また、透光性の材料で構成することは必須ではない。光ファイバ８を係止する手段は、係止孔７に限らず、引っ掛け金具等を用いてもよく、格別限定されるものではない。また、化粧枠３とホルダ６とは、一体的に構成されていてもよく、さらに、ホルダ６と配設手段７とを一体的に構成してもよい。加えて、光ファイバガイド部材５及び化粧枠３を省略して構成するようにしてもよい。さらにまた、ＬＥＤ１０の光色を変えて基板４に実装するようにしてもよく、例えば、第１の光ファイバ８１に対応する６個のＬＥＤ１０を白色とし、第２の光ファイバ８２に対応する６個のＬＥＤ１０を電球色としてもよい。そして、これら白色と電球色とを切換えて可変色タイプの照明器具として構成することも可能である。
【図面の簡単な説明】
【００２７】
【図１】本発明の実施形態に係る照明器具を示す正面図である。
【図２】同底面図である。
【図３】同断面図である。
【符号の説明】
【００２８】
１・・・照明器具（ダウンライト）、２・・・本体、４・・・基板、
６・・・ホルダ、７・・・配設手段、１０・・・発光素子（ＬＥＤ）、
６１ａ、６１ｂ・・・保持手段（保持孔）、７１・・・係止孔、８・・・光ファイバ、
８１ａ、８２ａ・・・光導入端、８１ｂ、８２ｂ・・・光導出端
【図１】
2010108792.tif 000003
【図２】
2010108792.tif 000004
【図３】
2010108792.tif 000005